【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
記録媒体への情報記録に用いる近接場光を発生する近接場光発生部と、
前記近接場光発生部に光を導く光導波路と、を有して前記記録媒体の上を浮上して相対移動するスライダと、
前記光導波路に光源からの光を導く光学素子と、
を備えた光ヘッドの製造方法であって、
前記光学素子に入射された前記光源からの光により、前記光学素子の該光が出射する部分に指標を形成する指標形成工程と、
前記スライダと前記光学素子との相対位置を調整して、前記光学素子に形成された前記指標の位置と前記近接場光発生部の位置とを一致させる位置調整工程と、
前記相対位置が調整された前記スライダと前記光学素子とを接着する接着工程と、
を有することを特徴とする光ヘッドの製造方法。
【請求項２】
前記指標形成工程は、
前記光学素子の光が出射する面にフォトクロミック物質または色素を有する所定の層を成膜し、前記光学素子に入射された前記光源からの光により、前記光学素子の該光が出射する部分に位置する前記所定の層のみを感光させ透過率を変化させることにより前記指標を形成することを特徴とする請求項１に記載の光ヘッドの製造方法。
【請求項３】
前記指標形成工程は、
前記光学素子の光が出射する面に光硬化性樹脂層を成膜し、前記光学素子に入射された前記光源からの光により、前記光学素子の該光が出射する部分に位置する前記光硬化性樹脂層のみを硬化させ屈折率を変化させることにより前記指標を形成することを特徴とする請求項１に記載の光ヘッドの製造方法。
【請求項４】
前記指標形成工程は、
前記光学素子の光が出射する面に感光性樹脂層を成膜し、前記光学素子に入射された前記光源からの光により、前記光学素子の該光が出射する部分に位置する前記感光性樹脂層のみを露光した後、現像することにより、前記感光性樹脂層の露光された部分のみ除去または残留させることにより前記指標を形成することを特徴とする請求項１に記載の光ヘッドの製造方法。
【請求項５】
前記指標形成工程は、
前記光学素子の光が出射する面に開口形成用薄膜を成膜し、前記光学素子に入射された前記光源からの光により、前記光学素子の該光が出射する部分に位置する前記開口形成用薄膜のみを開口させることにより前記指標を形成することを特徴とする請求項１に記載の光ヘッドの製造方法。
【請求項６】
前記指標形成工程は、
前記光学素子の光が出射する面に光硬化性樹脂接着層を成膜し、前記光学素子に入射された前記光源からの光により、前記光学素子の該光が出射する部分に位置する前記光硬化性樹脂接着層のみを感応させることにより前記指標を形成し、
前記接着工程は、
前記相対位置が調整された前記スライダと前記光学素子とを、前記光硬化性樹脂接着層の未硬化部分を用いて接着することを特徴とする請求項１に記載の光ヘッドの製造方法。
【請求項７】
前記光硬化性樹脂接着層は、フォトクロミック物質または色素を有し、
前記指標形成工程は、
前記光学素子に入射された前記光源からの光により、前記光学素子の該光が出射する部分に位置する前記光硬化性樹脂接着層のみを感光させ透過率を変化させることにより前記指標を形成することを特徴とする請求項６に記載の光ヘッドの製造方法。
【請求項８】
前記指標形成工程は、
前記光学素子に入射された前記光源からの光により、前記光学素子の該光が出射する部分に位置する前記光硬化性樹脂接着層のみを硬化させ屈折率を変化させることにより前記指標を形成することを特徴とする請求項６に記載の光ヘッドの製造方法。
【請求項９】
前記指標形成工程は、
前記光学素子に入射された前記光源からの光により、前記光学素子の面の該光が出射する部分に凹凸形状の前記指標を形成することを特徴とする請求項１に記載の光ヘッドの製造方法。
【手続補正２】
【補正対象書類名】明細書
【補正対象項目名】００１３
【補正方法】変更
【補正の内容】
【００１３】
１．記録媒体への情報記録に用いる近接場光を発生する近接場光発生部と、
前記近接場光発生部に光を導く光導波路と、を有して前記記録媒体の上を浮上して相対移動するスライダと、
前記光導波路に光源からの光を導く光学素子と、
を備えた光ヘッドの製造方法であって、
前記光学素子に入射された前記光源からの光により、前記光学素子の該光が出射する部分に指標を形成する指標形成工程と、
前記スライダと前記光学素子との相対位置を調整して、前記光学素子に形成された前記指標の位置と前記近接場光発生部の位置とを一致させる位置調整工程と、
前記相対位置が調整された前記スライダと前記光学素子とを接着する接着工程と、
を有することを特徴とする光ヘッドの製造方法。
【手続補正３】
【補正対象書類名】明細書
【補正対象項目名】００１４
【補正方法】変更
【補正の内容】
【００１４】
２．前記指標形成工程は、
前記光学素子の光が出射する面にフォトクロミック物質または色素を有する所定の層を成膜し、前記光学素子に入射された前記光源からの光により、前記光学素子の該光が出射する部分に位置する前記所定の層のみを感光させ透過率を変化させることにより前記指標を形成することを特徴とする前記１に記載の光ヘッドの製造方法。
【手続補正４】
【補正対象書類名】明細書
【補正対象項目名】００１５
【補正方法】変更
【補正の内容】
【００１５】
３．前記指標形成工程は、
前記光学素子の光が出射する面に光硬化性樹脂層を成膜し、前記光学素子に入射された前記光源からの光により、前記光学素子の該光が出射する部分に位置する前記光硬化性樹脂層のみを硬化させ屈折率を変化させることにより前記指標を形成することを特徴とする前記１に記載の光ヘッドの製造方法。
【手続補正５】
【補正対象書類名】明細書
【補正対象項目名】００１６
【補正方法】変更
【補正の内容】
【００１６】
４．前記指標形成工程は、
前記光学素子の光が出射する面に感光性樹脂層を成膜し、前記光学素子に入射された前記光源からの光により、前記光学素子の該光が出射する部分に位置する前記感光性樹脂層のみを露光した後、現像することにより、前記感光性樹脂層の露光された部分のみ除去または残留させることにより前記指標を形成することを特徴とする前記１に記載の光ヘッドの製造方法。
【手続補正６】
【補正対象書類名】明細書
【補正対象項目名】００１７
【補正方法】変更
【補正の内容】
【００１７】
５．前記指標形成工程は、
前記光学素子の光が出射する面に開口形成用薄膜を成膜し、前記光学素子に入射された前記光源からの光により、前記光学素子の該光が出射する部分に位置する前記開口形成用薄膜のみを開口させることにより前記指標を形成することを特徴とする前記１に記載の光ヘッドの製造方法。
【手続補正７】
【補正対象書類名】明細書
【補正対象項目名】００１８
【補正方法】変更
【補正の内容】
【００１８】
６．前記指標形成工程は、
前記光学素子の光が出射する面に光硬化性樹脂接着層を成膜し、前記光学素子に入射された前記光源からの光により、前記光学素子の該光が出射する部分に位置する前記光硬化性樹脂接着層のみを感応させることにより前記指標を形成し、
前記接着工程は、
前記相対位置が調整された前記スライダと前記光学素子とを、前記光硬化性樹脂接着層の未硬化部分を用いて接着することを特徴とする前記１に記載の光ヘッドの製造方法。
【手続補正８】
【補正対象書類名】明細書
【補正対象項目名】００１９
【補正方法】変更
【補正の内容】
【００１９】
７．前記光硬化性樹脂接着層は、フォトクロミック物質または色素を有し、
前記指標形成工程は、
前記光学素子に入射された前記光源からの光により、前記光学素子の該光が出射する部分に位置する前記光硬化性樹脂接着層のみを感光させ透過率を変化させることにより前記指標を形成することを特徴とする前記６に記載の光ヘッドの製造方法。
【手続補正９】
【補正対象書類名】明細書
【補正対象項目名】００２０
【補正方法】変更
【補正の内容】
【００２０】
８．前記指標形成工程は、
前記光学素子に入射された前記光源からの光により、前記光学素子の該光が出射する部分に位置する前記光硬化性樹脂接着層のみを硬化させ屈折率を変化させることにより前記指標を形成することを特徴とする前記６に記載の光ヘッドの製造方法。
【手続補正１０】
【補正対象書類名】明細書
【補正対象項目名】００２１
【補正方法】変更
【補正の内容】
【００２１】
９．前記指標形成工程は、
前記光学素子に入射された前記光源からの光により、前記光学素子の面の該光が出射する部分に凹凸形状の前記指標を形成することを特徴とする前記１に記載の光ヘッドの製造方法。
【手続補正１１】
【補正対象書類名】明細書
【補正対象項目名】００２２
【補正方法】変更
【補正の内容】
【００２２】
本発明によれば、光学素子に入射された光源からの光により、光学素子の該光が出射する部分に指標を形成し、スライダと光学素子との相対位置を調整することで、光学素子に形成された指標の位置と近接場光発生部の位置とを一致させた後、スライダと光学素子とを接着するようにした。